(57)【特許請求の範囲】
【請求項１】
基地局との間で無線通信すると共に、前記基地局からの受信データに同期した同期クロックを出力する送受信部と、
音声録音再生用の音声データを格納するメモリと、
前記同期クロックに同期した第１のタイミング信号と、前記同期クロックとは非同期の第２のタイミング信号とをそれぞれ生成すると共に、該第１及び第２のタイミング信号を用いて前記メモリに対して音声データの録音又は再生を行う音声録音再生制御部と、
前記送受信部で受信され又は前記メモリから再生された第１の音声データを復号して送話音声を発音し、受話音声を第２の音声データに変換して前記送受信部により送信させる音声信号処理部と、
前記送受信部及び前記音声録音再生制御部を制御する制御手段と、
少なくとも前記音声録音再生に関する操作情報を、前記制御手段に入力する入力手段と
を有し、前記音声録音再生制御部は、前記送受信部で受信された第１の音声符号化データを一時格納した後、前記第２のタイミング信号による読み出し用タイミング信号に基づき前記メモリへ転送する第１のバッファと、前記メモリから読み出された第２の音声符号化データを一時格納した後、前記音声信号処理部へ出力する第２のバッファと、前記音声信号処理部から出力される送信される第３の音声符号化データを一時格納した後、前記第２のタイミング信号による読み出し用タイミング信号に基づき前記メモリへ転送する第３のバッファと、前記送受信部からの同期クロックによって動作し前記第１のタイミング信号を生成する第１のタイミング信号生成部と、前記第２のタイミング信号を生成する第２のタイミング信号生成部と、前記第１のタイミング信号生成部からの前記第１のタイミング信号と前記第２のタイミング信号生成部からの第２のタイミング信号の一方を前記制御手段からの制御信号により選択する第１のスイッチと、前記送受信部で受信された前記第１の音声符号化データと前記第２のバッファからの前記第２の音声符号化データの一方を前記制御手段からの制御信号により選択する第２のスイッチとを備え、
前記入力手段による前記制御手段に対する音声録音又は音声再生指示入力に基づき、前記制御手段が前記第２のタイミング信号に基づいて、前記メモリに対して録音する音声データを入力し、又は前記メモリから再生する音声データを読み出すように前記音声録音再生制御部を制御することを特徴とする携帯型通信端末。
【請求項２】
前記第１のタイミング信号に同期した前記制御手段からの制御信号に基づき、前記送受信部に対し、バッテリーセービング制御時の間欠受信タイミング信号を供給して間欠受信動作させる間欠受信タイミング生成タイマを更に有することを特徴とする請求項１記載の携帯型通信端末。
【請求項３】
前記第１のタイミング信号生成部は、前記第１のタイミング信号と共に、前記送受信部で受信される前記第１の音声符号化データの受信完了した時点を示す受信完了タイミング信号を生成して出力することを特徴とする請求項１記載の携帯型通信端末。
【請求項４】
留守番応答メッセージを予め格納している第４のバッファと、留守番応答時は前記第４のバッファからの留守番応答メッセージを選択して前記送受信部へ転送し、留守番応答以外では前記音声信号処理部からの前記第３の音声符号化データを選択して前記送受信部へ転送する第３のスイッチとを有することを特徴とする請求項１乃至３のうちいずれか一項記載の携帯型通信端末。
【発明の詳細な説明】
【０００１】
【発明の属する技術分野】
本発明は携帯型通信端末に係り、特にＴＤＭＡ（Time Division Multiple Access:時分割多元接続）通信方式のディジタル自動車電話システムに用いる自動車電話等の音声録音再生機能を備えた携帯型通信端末に関する。
【０００２】
【従来の技術】
まず、ＴＤＭＡ通信方式の移動通信の概念を、文献（ＭＡＲＵＺＥＮ  Advanced Technology  〈電子・情報・通信編〉「移動通信」、”７−５  ＴＤＭＡ移動通信”）を参照して少し説明する。ＴＤＭＡ（Time Division Multiple Access）通信方式とは、その名の示すとおり、無線周波数を時間分割し、通信者に特定の時間帯を割り当て、その割り当てられた時間帯で通信を行う方式である。
【０００３】
ＴＤＭＡ通信方式の移動通信を行う場合、一般に基地局を経由して通信が行われる。ＴＤＭＡ通信方式の移動通信の概念を図４に示す。信号の送受信は、基本となるフレーム（ＴＤＭＡフレームと呼ばれる）内の割り当てられた一対の時間帯を用いて行われる（例えば、送信（Ｂ→Ｍ１）と受信（Ｂ→Ｍ１）の対と、送信（Ｍ１→Ｂ）と受信（Ｍ１→Ｂ）の対）。図４は基地局Ｂから移動局（携帯電話機）へ１つの無線チャネルＦ１を、また移動局から基地局Ｂへ別の無線チャネルＦ２を用いる方法を示しているが、他に１つの無線チャネルで基地局と移動局間で送受信を行う方法もある。いずれの場合も、移動局から基地局へはバースト状の伝送となる。
【０００４】
ある時間帯の１ＴＤＭＡフレームにおける、基地局Ｂとある移動局Ｍ１との通信の時間割り当てを示すために、基地局Ｂ側の無線チャネル上の時間割り当てを図４（ａ）に、図４（ａ）をもとにした移動局Ｍ１側の時間割り当てを図４（ｂ）に示す。
【０００５】
図４（ａ）において、データ伝送方向が、基地局Ｂから移動局の方向である無線チャネルをＦ１、移動局から基地局Ｂの方向である無線チャネルをＦ２として示してある。図４（ａ）に示す通り、基地局Ｂは、無線チャネルＦ１及びＦ２を使用して、最大６つ（＝チャネル多重数）の移動局との通信を行うことが可能である。図４（ｂ）は、図４（ａ）に示した時間割り当て例をもとに、移動局Ｍ１が基地局Ｂに対して、データの送受信を共に行う場合の時間割り当て例を、移動局Ｍ１のデータ送受についてと、移動局Ｍ１の局部発振周波数（局発源周波数）について示したものである。
【０００６】
１ＴＤＭＡフレームにおいて、移動局Ｍ１は、図４（ｂ）に示す通り、基地局Ｂからデータ受信を行う場合は、移動局Ｍ１の局発源周波数をＦ１（この場合のＦ１は、移動局Ｍ１から見て自局の無線チャネル周波数となるので、以降自局無線チャネル周波数と称する）に指定して、基地局Ｂの移動局Ｍ１に対するトラヒックバーストに同期させてデータ受信（以降、この時間帯のことを自局スロットと称する）を行う。一方、移動局Ｍ１は、データ送信の際は、移動局局Ｍ１の局発源周波数をＦ２に指定して、基地局Ｂの移動局Ｍ１に対するトラヒックバーストに同期させてデータ送信を行う。
【０００７】
このように、１ＴＤＭＡフレームにおいて、移動局Ｍ１は送受信以外の時間帯は、基地局Ｂとの通信に関しては自由な時間帯（アイドルと呼ぶ）となる。すなわち、送信を行わず、受信のみ行う場合は、受信以外の時間帯がすべてアイドルとなる。
【０００８】
次に、上記のＴＤＭＡ通信方式を利用した携帯型通信端末における、音声録音再生に関する従来技術について説明する。図５は従来の携帯型通信端末の一例のブロック図を示す。この携帯型通信端末は、ＴＤＭＡ通信方式の携帯電話機で、送受信部４００と、音声録音再生制御部４１０と、バッテリーセービング制御時の間欠受信タイミング信号を生成する間欠受信タイミング生成タイマ４３０と、これら送受信部４００、音声録音再生制御部４１０及び間欠受信タイミング生成タイマ４３０の制御を含む一連の音声録音再生制御を行う中央処理装置（ＣＰＵ）４２０と、音声信号処理部４５０と、ＣＰＵ４２０が音声録音再生用の音声データを格納するメモリ４６０と、ＣＰＵ４２０に音声録音再生に関する操作情報を検出させるキー操作部４７０とを有する。
【０００９】
送受信部４００は、無線チャネルによって、基地局（図示せず）から伝送された変調アナログ信号を受信して復調する無線機４０１と、無線機４０１によって復調された基地局からの受信データに同期したクロックを出力する同期クロック発生部４０２を有する。
【００１０】
ＣＰＵ４２０は、タイミング生成部４１１からの受信完了タイミング信号４１１ｂの検出と、Ｉ／Ｏバス４１８を介して行うデータクセスと、キー操作部４７０からのキー入力情報４７０ａの検出と、受信オフ（ＯＦＦ）指定信号４２０ａによる送受信部４００に対する受信オフ指定と、アラーム時刻指定／時刻読み出し４２０ｂを介して間欠受信タイミング生成タイマ４３０に対するアラーム時刻指定の出力と、間欠受信タイミング生成タイマ４３０が刻む現在時刻の読み出しとを行う。
【００１１】
音声録音再生制御部４１０は、基地局から携帯電話機に対して送信されるベースバンドディジタル信号における音声符号化データ（以降、下りＴＣＨデータと称す）４００ａを格納し、ＣＰＵ４２０がＩ／Ｏバス４１８を介して読み出しが可能な下りＴＣＨデータ読み出し用バッファ４１３と、ＣＰＵ４２０がＩ／Ｏバス４１８を介して書き込みが可能な下りＴＣＨデータ書き込み用バッファ４１４と、携帯電話機内の音声信号処理部４５０から基地局に対して送信するベースバンドディジタル信号における音声符号化データ（以降、上りＴＣＨデータと称する）４５０ａを格納し、ＣＰＵ４２０がＩ／Ｏバス４１８を介して読み出しが可能な上りＴＣＨデータ読み出し用バッファ４１７と、ＣＰＵ４２０がＩ／Ｏバス４１８を介して書き込みが可能な上りＴＣＨデータ書き込み用バッファ４１４と、タイミング生成部４１１と、下りＴＣＨデータ４００ａ及び下りＴＣＨデータ書き込み用バッファ４１４の出力の一方をＣＰＵ４２０の指示により選択して下りＴＣＨデータ４１０ａとして出力するスイッチ４１９と、上りＴＣＨデータ４５０ａ及び上りＴＣＨデータ書き込み用バッファ４１６の出力の一方を、ＣＰＵ４２０の指示により選択して上りＴＣＨデータ４１０ｂとして出力するスイッチ４１Ａとを有する。
【００１２】
タイミング生成部４１１は、送受信部４００により受信された下りＴＣＨデータ４００ａを、下りＴＣＨデータ読み出し用バッファ４１３に転送させるか、下りＴＣＨデータ書き込み用バッファ４１４から読み出して下りＴＣＨデータ４１０ａとして音声信号処理部４５０に転送させるタイミング信号と、音声信号処理部４５０から出力される上りＴＣＨデータ４５０ａを、上りＴＣＨデータ読み出し用バッファ４１７に転送させるタイミング信号と、上りＴＣＨデータ書き込み用バッファ４１６もしくは上りＴＣＨデータ読み出し用バッファ４１７から読み出した上りＴＣＨデータ４１０ｂを送受信部４００に転送させるタイミング信号を生成する。
【００１３】
また、タイミング生成部４１１は、同期クロック発生部４０２から供給される同期クロックによって動作し、また、基地局が送信するベースバンドディジタル信号を、この携帯電話機が受信完了した時点をＣＰＵ４２０に検出させるタイミング信号である受信完了タイミング信号４１１ｂを生成する。
【００１４】
音声信号処理部４５０は、スイッチ４１９により選択されて取り出された下りＴＣＨデータ４１０ａの復号化を行い、受話音声ディジタル信号を出力するデコーダ４５１と、デコーダ４５１が出力する受話音声のディジタル信号を受話音声アナログ信号に変換する受話用Ｄ／Ａ変換器４５２と、受話用Ｄ／Ａ変換器４５２が出力する受話音声アナログ信号の増幅を行う受話用増幅器４５３と、受話用増幅器が出力する電気信号を音響（受話音声）に変換するスピーカ４５４と、音響（送話音声）を電気信号に変換するマイク４５５と、マイク４５５が出力する電気信号を増幅する送話用増幅器４５６と、送話用増幅器４５６が出力する送話音声のアナログ信号を送話音声ディジタル信号に変換する送話用Ａ／Ｄ変換器４５７と、送話用Ａ／Ｄ変換器４５７が出力する受話音声ディジタル信号の符号化を行い、上りＴＣＨデータ４５０ａを出力するエンコーダ４５８を有する。
【００１５】
図６は従来の携帯電話機の音声録音再生機能を使用した音声録音再生の動作の一例を示すタイムチャートであり、バッテリーセービング時の音声再生の場合を例としている。なお、音声再生中とその前後で関連する音声録音再生機能の動作において、ハードウェア処理をＨｎ（ｎは、１、２、３、…）、ソフトウェア処理（ＣＰＵ４２０の動作）をＳｎ（ｎは、１、２、３、…）として、時間的に早い順に、図５と図６を併せ参照しながら従来の音声録音再生機能の動作を説明する。
【００１６】
ＣＰＵ４２０がバッテリーセービング時と判定すると、まず、スイッチ４１９を下りＴＣＨデータ書き込み用バッファ４１４側に切換接続する。その後、送受信部４００が図６（Ａ）に示す基地局から携帯電話機に対して送信する情報中のＰ（着信情報）の受信を完了したとき、タイミング生成部４１１が、図６（Ｃ）に示すように受信完了タイミング４１１ｂを発生してＣＰＵ４２０へ出力する（処理Ｈ２１）。
【００１７】
ＣＰＵ４２０は、この受信完了タイミング４１１ｂを受信すると、次の着信情報Ｐを受信するためのアラーム時刻指定／時刻読み出し信号４２０ｂを出力して間欠受信タイミング生成タイマ４３０に指定してタイマを起動すると共に、送受信部４００に対して受信オフ指定信号４２０ａを出力する（処理Ｓ１１）。
【００１８】
送受信部４００は、上記の受信オフ指定信号４２０ａが入力されると、図６（Ｄ）にローレベルで模式的に示すように受信動作を停止し、同期クロック発生部４０２の動作を図６（Ｅ）に示すように停止する（処理Ｈ２２）。
【００１９】
その間、間欠受信タイミング生成タイマ４３０は、図６（Ｂ）に示すようにカウントアップしていき、そのカウント値が処理Ｓ１１で設定されたアラーム時刻と一致したことを検出すると、受信オン指定信号４３０ａを送受信部４００へ出力する（処理Ｈ２３）。送受信部４００が、受信オン指定信号４３０ａを検出すると、同期クロック発生部４０２を図６（Ｅ）に示すように発振させ、情報Ｐの受信を開始する（処理Ｈ２３）。
【００２０】
情報Ｐの受信完了後の、図６にＨ２４，Ｓ１２，Ｈ２５で示す各処理は、前記Ｈ２１，Ｓ１１，Ｈ２２と同様の処理が行われる。この状態でユーザーが、キー操作部４７０の再生開始キーを押下したことにより、キー入力情報４７０ａとして再生開始キー情報が出力される（処理Ｈ２６）。すると、ＣＰＵ４２０が、再生開始キー情報を検出し、以下の処理Ｓ１３を行う。
【００２１】
すなわち、ＣＰＵ４２０は、下りＴＣＨデータ書き込み用バッファ４１４に、再生させる最初のＴＣＨデータを書き込むと共に、タイミング生成部オン／オフ指定信号４２０ｃ（ここではオンを指定）をタイミング生成部４１１へ出力する。また、同期クロックを発生させタイミング生成部４１１をできるだけ早く動作させる目的で、アラーム時刻指定時刻読み出し信号４２０ｂを間欠受信タイミングタイマ４３０に供給してアラーム時刻を指定する。
【００２２】
タイミング生成部４１１は、タイミング生成部オン／オフ指定信号４２０ｃを検出すると、図６（Ｆ）にハイレベルで模式的に示すようにタイミング生成可能状態になる（処理Ｈ２７）。その間、間欠受信タイミング生成タイマ４３０は、図６（Ｂ）に示すようにカウントアップしていき、そのカウント値が処理Ｓ１３で設定されたアラーム時刻と一致したことを検出すると、上記の処理Ｈ２３と同様に、下りＴＣＨデータ書き込み用バッファ４１４に書き込まれているＴＣＨデータを転送するためのタイミング信号を生成して下りＴＣＨデータを読み出し、スイッチ４１９を介して出力させる。音声信号処理部４５０は、スイッチ４１９からの下りＴＣＨデータ４１０ａを検出し、復号してスピーカ４５４から再生音声を出力する。
【００２３】
続いて、ＴＣＨデータ４１０ａの転送完了時点データイミング生成部４１１が、図６（Ｇ）に示すようにＴＣＨデータ読み出し／書き込み用タイミング信号４１２ａを出力する（処理Ｈ２９）。ＣＰＵ４２０は、このＴＣＨデータ読み出し／書き込み用タイミング信号４１２ａを検出すると、まず、下りＴＣＨデータ書き込み用バッファ４１４に、再生させる次のＴＣＨデータを書き込む（処理Ｓ１４）。以降、再生終了するまでＨ２９、Ｓ１４の処理を繰り返す。
【００２４】
そして、再生データ全転送終了やユーザーによる再生終了キー押下などにより再生終了したことをＣＰＵ４２０が検出すると、ＣＰＵ４２０は、タイミング生成部オン／オフ指定信号４２０ｃとしてオフ指定の信号を出力する（処理Ｓ１５）。すると、タイミング生成部４１１は、オフ指定のタイミング生成部オン／オフ指定信号４２０ｃを検出し、図６（Ｆ）にローレベルで模式的に示すようにタイミング生成を停止する（処理Ｈ３０）。その後、情報Ｐの受信完了後の、図６にＨ３１，Ｓ１６，Ｈ３２で示す各処理は、前記Ｈ２１，Ｓ１１，Ｈ２２と同様の処理が行われる。
【００２５】
次に、以上の一連の動作について、音声再生中のＣＰＵ４２０が行う処理手順に着目して、図７のシーケンス図と共に説明する。各処理には、説明の便宜上、”Ｐ＋番号”をつけて図５上の各処理に対応づけて説明する（Ｈｎ，Ｓｎは図６に記載のものを指す。）。
【００２６】
まず、ＣＰＵ４２０は図７のステップＰ１１（＝Ｓ１３）において、▲１▼下りＴＣＨデータ書き込み用バッファ４１４に、再生させる最初のＴＣＨデータを書き込み、▲２▼タイミング生成部４１１をタイミングオン／オフ指定信号４２０ｃによりオン指定し、▲３▼同期クロックを発生させタイミング生成部４１１をできるだけ早く動作させる目的で、アラーム時刻を間欠受信タイミングタイマ４３０に指定する。
【００２７】
続いて、ＣＰＵ４２０は、図７のステップＰ１２（＝Ｓ１４）において、下りＴＣＨデータ書き込み用バッファ４１４に、再生させる次のＴＣＨデータを書き込む。そして、次のステップＰ１３（＝Ｓ１５）において、ＣＰＵ４２０は再生データ全転送終了やユーザーによる再生終了キー押下などにより再生終了したとき、タイミング生成部オン／オフ指定信号４２０ｃにより、タイミング生成部４１１をオフ指定する。以上のようにして、音声再生（本例は、バッテリーセービング時の音声再生の場合）を行う。
【００２８】
【発明が解決しようとする課題】
しかるに、上記の従来の携帯型通信端末では、音声録音再生機能が抱えていた制約事項による規制が問題となっている。ここで、従来の音声録音再生機能が抱えていた制約事項とは、従来の音声録音再生制御部４１０を動作させるクロックが、同期クロック発生部４０２により発生される基地局からの情報受信に使用する同期クロックであることである。
【００２９】
また、従来の音声録音再生機能が抱えていた制約事項による規制とは、バッテリーセービング時は、基地局からの情報受信時以外は、同期クロックを停止させているため、音声録音再生機能を動作させるときに、同期クロックを停止状態から解除させる必要がある。しかも、同期クロックを停止状態かち解除させるには、基地局からの情報受信タイミングを保持させつつ、音声録音再生機能動作開始要因（例えば、ユーザーによる再生開始キー押下など）発生時点からできるだけ早く音声録音再生機能動作開始を行わせる（キー押下に対する応答速度を速くする）ため、音声録音再生機能動作開始要因発生時点から一番近い基地局からの情報受信タイミングを判定し、同期クロックの停止状態解除（受信オン指定４３０ａ参照）を行わせるため、間欠受信タイミング生成タイマ４３０のアラーム時刻を指定変更する必要がある。以上の通り、音声録音再生機能動作開始させるために、わざわざ上記タイマ４３０のアラーム時刻指定変更が必要となる、というのが上記制約による規制である。
【００３０】
また、上記の従来の携帯型通信端末では、ソフトウェア制御が複雑であるという問題もある。それは、バッテリーセービング時の音声録音再生制御を行うために、以下の動作をソフトウェア制御による必要があるためである。すなわち、（ａ）バッテリーセービング時の制御の一部である間欠受信タイミング生成タイマ４３０のアラーム時刻指定を変更すること（上記Ｐ１１の▲３▼）によって音声録音再生制御を開始する。
【００３１】
続いて、（ｂ）音声録音再生制御中は、発生する受信完了タイミング４１１ｂの数をカウントし、着信情報タイミングを認識する。そして、（ｃ）音声録音再生制御終了時は、その時点から最初の着信情報タイミングまでを、発生する受信完了タイミング４１１ｂの数をカウントすることにより認識し、間欠受信タイミング生成タイマ４３０のアラーム時刻指定を元に戻して、バッテリーセービング時の制御に戻る。
【００３２】
音声録音再生制御部４１０は、上記のようなソフトウェアに対する規制を強い、ソフトウェア制御の複雑化を招いている。ソフトウェア制御の複雑化は、ソフトウェアの開発期間長期化の要因でもあるという問題にも発展する。
【００３３】
本発明は、以上の点に鑑みなされたもので、音声録音再生にかかわるソフトウェア処理を従来の音声録音再生機能が抱えていた制約事項による規制から解放し得る携帯型通信端末を提供することを目的とする。
【００３４】
また、本発明の他の目的は、ソフトウェア処理のスリム化により開発期間短縮を図ることができる携帯型通信端末を提供することにある。
【００３５】
【課題を解決するための手段】
上記の目的を達成するため、第１の発明の携帯型通信端末は、基地局との間で無線通信すると共に、基地局からの受信データに同期した同期クロックを出力する送受信部と、音声録音再生用の音声データを格納するメモリと、同期クロックに同期した第１のタイミング信号と、同期クロックとは非同期の第２のタイミング信号とをそれぞれ生成すると共に、第１及び第２のタイミング信号を用いてメモリに対して音声データの録音又は再生を行う音声録音再生制御部と、送受信部で受信され又はメモリから再生された第１の音声データを復号して送話音声を発音し、受話音声を第２の音声データに変換して送受信部により送信させる音声信号処理部と、送受信部及び音声録音再生制御部を制御する制御手段と、少なくとも音声録音再生に関する操作情報を、制御手段に入力する入力手段とを有し、入力手段による制御手段に対する音声録音又は音声再生指示入力に基づき、制御手段が第２のタイミング信号に基づいて、メモリに対して録音する音声データを入力し、又はメモリから再生する音声データを読み出すように音声録音再生制御部を制御する構成としたものである。
また、この発明では、上記の音声録音再生制御部を、送受信部で受信された第１の音声符号化データを一時格納した後、第２のタイミング信号による読み出し用タイミング信号に基づきメモリへ転送する第１のバッファと、メモリから読み出された第２の音声符号化データを一時格納した後、音声信号処理部へ出力する第２のバッファと、音声信号処理部から出力される送信される第３の音声符号化データを一時格納した後、第２のタイミング信号による読み出し用タイミング信号に基づきメモリへ転送する第３のバッファと、送受信部からの同期クロックによって動作し第１のタイミング信号を生成する第１のタイミング信号生成部と、第２のタイミング信号を生成する第２のタイミング信号生成部と、第１のタイミング信号生成部からの第１のタイミング信号と第２のタイミング信号生成部からの第２のタイミング信号の一方を制御手段からの制御信号により選択する第１のスイッチと、送受信部で受信された第１の音声符号化データと第２のバッファからの第２の音声符号化データの一方を制御手段からの制御信号により選択する第２のスイッチとを有する構成としたものである。
【００３６】
この発明では、音声録音又は音声再生時には、基地局からの受信データに同期した同期クロックとは非同期である第２のタイミング信号に基づいて、メモリに対して録音する音声データを入力し、又はメモリから再生する音声データを読み出すことができる。
【００３７】
また、上記の目的を達成するため、第２の発明の携帯型通信端末は、第１のタイミング信号に同期した制御手段からの制御信号に基づき、送受信部に対し、バッテリーセービング制御時の間欠受信タイミング信号を供給して間欠受信動作させる間欠受信タイミング生成タイマを更に有することを特徴とする。この発明では、間欠受信タイミング生成タイマからの間欠受信タイミング信号により送受信部を間欠受信動作させることができる。
【００３９】
ここで、上記の第１のタイミング信号生成部は、第１のタイミング信号と共に、送受信部で受信される第１の音声符号化データの受信完了した時点を示す受信完了タイミング信号を生成して出力する構成としてもよい。また、本発明は、留守番応答メッセージを予め格納している第４のバッファと、留守番応答時は第４のバッファからの留守番応答メッセージを選択して送受信部へ転送し、留守番応答以外では音声信号処理部からの第３の音声符号化データを選択して送受信部へ転送する第３のスイッチとを有する構成であってもよい。更に、本発明は、送受信部と、メモリと、音声録音再生制御部と、音声信号処理部と、制御手段と、入力手段とは、ＴＤＭＡ通信方式の携帯電話機を構成することを特徴とする。
【００４０】
【発明の実施の形態】
次に、本発明の一実施の形態について、図面と共に説明する。図１は本発明になる携帯型通信端末の一実施の形態のブロック図を示す。この実施の形態は、音声録音再生機能を有するＴＤＭＡ通信方式の携帯電話機である。図１において、本実施の形態の音声録音再生機能を備えた携帯電話機は、送受信部１００と、音声録音再生制御部１１０と、バッテリーセービング制御時の間欠受信タイミング信号を生成する間欠受信タイミング生成タイマ１３０と、これら送受信部１００、音声録音再生制御部１１０及び間欠受信タイミング生成タイマ１３０の制御を含む一連の音声録音再生制御を行う中央処理装置（ＣＰＵ）１２０と、音声信号処理部１５０と、ＣＰＵ１２０が音声録音再生用の音声データを格納し、また読み出すメモリ１６０と、ＣＰＵ１２０に音声録音再生に関する操作情報を検出させるキー操作部１７０とを有する。
【００４１】
送受信部１００は、無線チャネルによって、基地局（図示せず）から伝送された変調アナログ信号に対し、復調を行う無線機１０１と、無線機１０１によって復調される基地局からの受信データに同期したクロックを出力する同期クロック発生部１０２とを有する。
【００４２】
ＣＰＵ１２０は、受信完了タイミング信号１１１ｂの検出と、Ｉ／Ｏバス１１８を介して行うデータクセスと、キー入力情報１７０ａの検出と、受信オフ指定信号１２０ａを介して行う送受信部１００に対する受信オフ指定と、アラーム時刻指定／時刻読み出し信号１２０ｂを介して行う、間欠受信タイミング生成タイマ１３０に対するアラーム時刻指定と、間欠受信タイミング生成タイマ１３０が刻む現在時刻の読み出しを可能とする。
【００４３】
音声録音再生制御部１１０は、基地局からこの携帯電話機に対して送信されるベースバンドディジタル信号における音声符号化データ（下りＴＣＨデータ）１００ａを格納し、ＣＰＵ１２０がＩ／Ｏバス１１８を介して読み出しを可能とする、下りＴＣＨデータ読み出し用バッファ１１３と、ＣＰＵ１２０がメモリ１６０から読み出したＴＣＨデータのＩ／Ｏバス１１８を介しての書き込みが可能な、下りＴＣＨデータ書き込み用バッファ１１４と、この携帯電話機における音声信号処理部１５０から基地局に対して送信するベースバンドディジタル信号における音声符号化データ（上りＴＣＨデータ）１５０ａを格納し、ＣＰＵ１２０がＩ／Ｏバス１１８を介して読み出しを可能とする、上りＴＣＨデータ読み出し用バッファ１１７と、ＣＰＵ１２０がＩ／Ｏバス１１８を介して書き込みが可能な、上りＴＣＨデータ書き込み用バッファ１１６と、第１のタイミング生成部１１１と、第２のタイミング生成部１１２と、音声信号処理部１５０への接続を、下りＴＣＨデータ１００ａにするか、下りＴＣＨデータ書き込み用バッファ１１４の読み出し出力にするかを、ＣＰＵ１２０が選択可能なスイッチ１１９と、送受信部１００への接続を、上りＴＣＨデータ１５０ａにするか、上りＴＣＨデータ書き込み用バッファ１１６の出力にするかを、ＣＰＵ１２０が選択可能なスイッチ１１Ａと、上記バッファ１１３、１１４、１１６、１１７の書き込み、あるいは読み出しの際必要とするタイミング信号１１１ａの信号供給源を、タイミング生成部１１１にするか、タイミング生成部１１２にするかを、ＣＰＵ１２０が選択可能なスイッチ１１Ｂとを有する。
【００４４】
タイミング生成部１１１とタイミング生成部１１２は、送受信部１００からの下りＴＣＨデーダ１００ａを、下りＴＣＨデータ読み出し用バッファ１１３に転送させるか、もしくは、下りＴＣＨデータ書き込み用バッファ１１４から、スイッチ１１９を介して下りＴＣＨデータ１１０ａとして音声信号処理部１５０に転送させるタイミング信号と、音声信号処理部１５０からの上りＴＣＨデータ１５０ａを、上りＴＣＨデータ読み出し用バッファ１１７に転送させるタイミング信号と、上りＴＣＨデータ書き込み用バッファ１１６もしくは、上りＴＣＨデータ読み出し用バッファ１１７からスイッチ１１Ａを介して、上りＴＣＨデータ１１０ｂとして、送受信部１００に転送させるタイミング信号を生成する。
【００４５】
ただし、第１のタイミング生成部１１１は、同期クロック発生部１０２から供給される同期クロックによって動作し、また、基地局が送信するベースバンドディジタル信号を、移動局が受信完了した時点をＣＰＵ１２０に検出させるタイミング信号である受信完了タイミング信号を生成する。これに対し、第２のタイミング生成部１１２は、同期クロック発生部１０２から出力される同期クロックとは独立して動作し、音声録音再生制御部１１０を動作させるタイミング信号を生成する。
【００４６】
音声信号処理部１５０は、音声録音再生制御部１１０から入力される下りＴＣＨデータ１１０ａの復号化を行い、受話音声ディジタル信号を出力するデコーダ１５１と、デコーダ１５１が出力する受話音声のディジタル信号を受話音声アナログ信号に変換する受話用Ｄ／Ａ変換器１５２と、受話用Ｄ／Ａ変換器１５２が出力する受話音声アナログ信号の増幅を行う受話用増幅器１５３と、受話用増幅器１５３が出力する電気信号を音響（受話音声）に変換するスピーカ１５４と、音響（送話音声）を電気信号に変換するマイク１５５と、マイク１５５が出力する電気信号を増幅する送話用増幅器１５６と、送話用増幅器１５６が出力する送話音声のアナログ信号を通話音声ディジタル信号に変換する送話用Ａ／Ｄ変換器１５７と、送話用Ａ／Ｄ変換器１５７が出力する受話音声ディジタル信号の符号化を行い、音声録音再生制御部１１０に対して上りＴＣＨデータ１５０ａを出力するエンコーダ１５８とを有する。
【００４７】
図２は本発明の音声録音再生機能を備えた携帯電話機の音声録音再生の動作の一例を示すタイムチャートであり、バッテリーセービング時の音声再生の場合を例としている。なお、音声再生中とその前後で関連する音声録音再生機能の動作において、ハードウェア処理をＨｎ（ｎは、１、２、３、…）、ソフトウェア処理（ＣＰＵ１２０の動作）をＳｎ（ｎは、１、２、３、…）とする。また、図２（Ａ）に模式的に示す基地局が携帯電話機に対して発する情報として、Ｐは着信情報、Ｂは基地局情報とする。
【００４８】
以上のことを踏まえ、時間的に早い順に、図２のタイムチャートを併せ参照しながら本実施の形態の音声録音再生機能の動作を説明する。ＣＰＵ１２０がバッテリーセービング時と判定すると、まず、スイッチ１１Ｂを端子１側、すなわち第２のタイミング生成部１１２の出力側に接続すると共に、スイッチ１１９を端子２側、すなわち下りＴＣＨデータ書き込み用バッファ１１４の出力側に接続する。
【００４９】
その後、送受信部１００が図２（Ａ）に示す基地局から携帯電話機に対して送信する情報中のＰ（着信情報）の受信を完了したとき、第１のタイミング生成部１１１が、図２（Ｃ）に示すように受信完了タイミング１１１ｂを発生してＣＰＵ１２０へ出力する（処理Ｈ１）。
【００５０】
ＣＰＵ１２０は、この受信完了タイミング１１１ｂを受信すると、次の着信情報Ｐを受信するためのアラーム時刻指定／時刻読み出し信号１２０ｂを出力して間欠受信タイミング生成タイマ１３０にアラーム時刻を指定してタイマを起動すると共に、送受信部１００に対して受信オフ指定信号１２０ａを出力する（処理Ｓ１）。
【００５１】
送受信部１００は、上記の受信オフ指定信号１２０ａが入力されると、図２（Ｄ）にローレベルで模式的に示すように受信動作を停止し、同期クロック発生部１０２の動作を図２（Ｅ）に示すように停止する（処理Ｈ２）。
【００５２】
その間、間欠受信タイミング生成タイマ１３０は、図２（Ｂ）に示すようにカウントアップしていき、そのカウント値が処理Ｓ１で設定されたアラーム時刻と一致したことを検出すると、受信オン指定信号１３０ａを送受信部１００へ出力する（処理Ｈ３）。送受信部１００が、受信オン指定信号１３０ａを検出すると、同期クロック発生部１０２を図２（Ｅ）に模式的に示すように発振させ、着信情報Ｐの受信を開始する（処理Ｈ３）。
【００５３】
着信情報Ｐの受信完了後の、図２にＨ４，Ｓ２，Ｈ５で示す各処理は、前記Ｈ１，Ｓ１，Ｈ２と同様の処理が行われる。この状態でユーザーが、キー操作部１７０の再生開始キーを押下したことにより、キー入力情報１７０ａとして再生開始キー情報が出力される（処理Ｈ６）。すると、ＣＰＵ１２０が、再生開始キー情報を検出し、以下の処理Ｓ３を行う。
【００５４】
すなわち、ＣＰＵ１２０は、再生させる最初のＴＣＨデータをメモリ１６０から読み出してＩ／Ｏバス１１８を介して下りＴＣＨデータ書き込み用バッファ１１４に供給して書き込むと共に、タイミング生成部オン／オフ指定信号１２０ｃ（ここではオンを指定）をタイミング生成部１１２へ出力する。
【００５５】
タイミング生成部１１２は、タイミング生成部オン／オフ指定信号１２０ｃによるオン指定を検出すると、図２（Ｆ）にハイレベルで模式的に示すように動作状態とされ、下りＴＣＨデータ書き込み用バッファ１１４に書き込まれているＴＣＨデータを読み出すためのタイミング信号を生成して、下りＴＣＨデータ書き込み用バッファ１１４に供給する。これにより、下りＴＣＨデータ書き込み用バッファ１１４から読み出されたＴＣＨデータは、スイッチ１１９を経て下りＴＣＨデータ１１０ａとして音声信号処理部１５０へ出力される。
【００５６】
ここで、本実施の形態では、上記のタイミング生成部１１２によるタイミング信号の生成動作は、同期クロック発生部１０２からの同期クロックとは独立して行われるため、下りＴＣＨデータ書き込み用バッファ１１４からのＴＣＨデータの読み出し動作は、無線機１０１を介した基地局との同期に関係なく行うことができる。音声信号処理部１５０は、スイッチ１１９からの下りＴＣＨデータ１１０ａを検出し、復号してスピーカ１５４から再生音声を出力する。
【００５７】
続いて、ＴＣＨデータ１１０ａの転送完了時点データイミング生成部１１２が、ＴＣＨデータ読み出し／書き込み用タイミング信号１１２ａを図２（Ｇ）に示すように出力して、ＣＰＵ１２０へ供給する（処理Ｈ８）。ＣＰＵ１２０は、ＴＣＨデータ読み出し／書き込み用タイミング信号１１２ａの入力を検出すると、まず、下りＴＣＨデータ書き込み用バッファ１１４に、メモリ１６０から読み出した再生させる次のＴＣＨデータをＩ／Ｏバス１１８を介して書き込む（処理Ｓ４）。以降、再生終了するまでＨ８、Ｓ４の処理を繰り返す。ただし、図２中、Ｈ９では前述した処理Ｈ３と同様の処理が行われ、また、Ｈ１０，Ｓ５，Ｈ１１では、前述した処理Ｈ１、Ｓ１、Ｈ２と同様の処理が行われる。
【００５８】
そして、再生データ全転送終了やユーザーによる再生終了キー押下などにより再生終了したことをＣＰＵ１２０が検出すると、ＣＰＵ１２０は、タイミング生成部オン／オフ指定信号１２０ｃとしてオフ指定の信号をタイミング生成部１１２へ出力する（処理Ｓ６）。すると、タイミング生成部１１２は、オフ指定のタイミング生成部オン／オフ指定信号１２０ｃを検出し、図２（Ｆ）にローレベルで模式的に示すようにタイミング生成を停止する（処理Ｈ１２）。
【００５９】
次に、以上の一連の動作について、音声再生中のＣＰＵ１２０が行う処理手順に着目して、図３のシーケンス図と共に説明する。各処理には、説明の便宜上、”Ｐ＋番号”をつけて図３上の各処理に対応づけて説明する（Ｈｎ、Ｓｎは図２に記載のものを指す。）。
【００６０】
まず、ＣＰＵ１２０は図３のステップＰ１（＝Ｓ３）において、▲１▼下りＴＣＨデータ書き込み用バッファ１１４に、再生させる最初のＴＣＨデータをメモリ１６０から読み出してＩ／Ｏバス１１８を介して書き込み、▲２▼タイミング生成部１１２をタイミングオン／オフ指定信号１２０ｃによりオン指定する。
【００６１】
続いて、ＣＰＵ１２０は、図３のステップＰ２（＝Ｓ４）において、下りＴＣＨデータ書き込み用バッファ１１４に、再生させる次のＴＣＨデータをメモリ１６０から読み出してＩ／Ｏバス１１８を介して書き込む。そして、次のステップＰ３（＝Ｓ６）において、ＣＰＵ１２０は再生データ全転送終了やユーザーによる再生終了キー押下などにより再生終了したとき、タイミング生成部オン／オフ指定信号１２０ｃにより、タイミング生成部１１２をオフ指定する。以上のようにして、音声再生（本例は、バッテリーセービング時の音声再生の場合）を行う。
【００６２】
なお、以上はバッテリーセービング時の音声再生の動作であるが、下りＴＣＨデータ１００ａの録音時は、下りＴＣＨデータ読み出し用バッファ１１３により直並列変換（所謂シリパラ変換）された後、ＣＰＵ１２０の制御のもとでタイミング生成部１１２から出力されたタイミング信号１１１ａに基づき読み出され、Ｉ／Ｏバス１１８を介してメモリ１６０に書き込まれる。また、下りＣＨデータ書き込み用バッファ１１４へは、再生するための上り又は下りＴＣＨデータが書き込まれ、ここで並直列変換（所謂パラシリ変換）されてデコーダ１５１へ出力される。
【００６３】
また、上りＴＣＨデータ１５０ａは、上りＴＣＨデータ読み出し用バッファ１１７により自動的にシリパラ変換されて格納され、ＣＰＵ１２０の制御の下で読み出されてＩ／Ｏバス１１８を介してメモリ１６０に格納される。また、上りＴＣＨデータ書き込み用バッファ１１６は、留守番応答メッセージを上りＴＣＨデータとして通話相手に送信するときに用いられ、このときにのみＣＰＵ１２０によりスイッチ１１Ａが端子１側に接続されて、上りＴＣＨデータ書き込み用バッファ１１６から読み出された留守番応答メッセージのＴＣＨデータが送受信部１００へ出力される。
【００６４】
次に、他の実施の形態について説明する。上述した実施の形態においては、ＣＰＵ１２０が、キー入力情報１７０ａの解析を行うことにより、音声録音再生の動作開始、あるいは終了を行うようにしているが、これに限らず、キー入力情報の解析と、その結果である音声録音再生の動作開始、あるいは終了の一連の動作を論理回路で構成することによって、音声録音再生機能をハードウェアのみにより構成するようにしてもよい。
【００６５】
この場合、例えばＣＰＵ１２０がキー操作部１７０によるキー入力情報１７０ａから入力キーを解析して、タイミング生成部オン／オフ指定の情報をタイミング生成部１１２に出力する機能が、論理回路によって構成される。
【００６６】
なお、本発明は以上の実施の形態に限定されるものではなく、例えば、音声録音時にも第２のタイミング生成部１１２から出力されるタイミング信号に基づいてメモリ１６０に対して受信ＴＣＨデータの書き込みが行われる。また、ＴＤＭＡ通信方式のディジタル自動車電話システムに用いる自動車電話以外の他の携帯電話機等の携帯型通信端末に広く本発明を適用することができる。
【００６７】
【発明の効果】
以上説明したように、本発明によれば、音声録音又は音声再生時には、基地局からの受信データに同期した同期クロックとは非同期である第２のタイミング信号に基づいて、メモリに対して録音する音声データを入力し、又はメモリから再生する音声データを読み出すようにしたため、基地局からの受信データとの同期に関係なく、音声録音再生機能を動作させることができ、このため従来のようなバッテリーセービング時に同期クロックを停止状態から解除させるための間欠受信タイミング生成タイマのアラーム時刻を指定変更する必要が無く、従来の音声録音再生機能が抱えていた制約事項による規制から解放でき、音声録音再生にかかるソフトウェア処理を簡素化できる。
【００６８】
これにより、本発明によれば、ソフトウェア処理が簡素化されることから、ソフトウェア開発工程である設計・評価の期間を自ずと短縮でき、開発期間短縮が導かれる。
【図面の簡単な説明】
【図１】  本発明のＴＤＭＡ通信方式の音声録音再生機能を備えた携帯型通信端末の一実施の形態のブロック図である。
【図２】  図１の携帯型通信端末の動作説明用タイムチャートである。
【図３】  図１の携帯型通信端末のＣＰＵの処理手順を示した図である。
【図４】  一般的なＴＤＭＡ通信方式の移動通信の概念の説明図である。
【図５】  従来のＴＤＭＡ通信方式の音声録音再生機能を備えた携帯型通信端末の一例のブロック図である。
【図６】  図５の携帯型通信端末の動作タイムチャート図である。
【図７】  図５の携帯型通信端末のＣＰＵの処理手順を示した図である。
【符号の説明】
１１９、１１Ａ、１１Ｂ  スイッチ
１００  送受信部
１００ａ、１１０ａ  下りＴＣＨデータ
１０１  無線機
１０２  同期クロック発生部
１１０  音声録音再生制御部
１１０ｂ、１５０ａ  上りＴＣＨデータ
１１１、１１２  タイミング生成部
１１１ａ  各バッファ書き込み／読み出し用タイミング信号
１１１ｂ  受信完了タイミング信号
１１２ａ  下りＴＣＨデータ読み出し/書き込み用タイミング信号
１１３  下りＴＣＨデータ読み出し用バッファ
１１４  下りＴＣＨデータ書き込み用バッファ
１１６  上りＴＣＨデータ書き込み用バッファ
１１７  上りＴＣＨデータ読み出し用バッファ
１１８  Ｉ／Ｏバス
１２０  中央処理装置（ＣＰＵ）
１２０ａ  受信オフ指定信号
１２０ｂ  アラーム時刻指定／時刻読み出し信号
１２０ｃ  タイミング生成部オン／オフ指定信号
１３０  間欠受信タイミング生成タイマ
１３０ａ  受信オン指定信号
１５０  音声信号処理部
１６０  メモリ
１７０  キー操作部
【図１】
0003747003.tif 000002
【図２】
0003747003.tif 000003
【図３】
0003747003.tif 000004
【図４】
0003747003.tif 000005
【図５】
0003747003.tif 000006
【図６】
0003747003.tif 000007
【図７】
0003747003.tif 000008